(57)【要約】  【課題】  泡消火薬剤の発泡性能や混合率等の点検を少人数で簡単かつ短時間に能率よく行える閉鎖型泡消火設備の点検装置を提供する。  【解決手段】  閉鎖型泡消火設備における混合装置の二次側に泡消火薬剤点検ユニット３５を設ける。泡消火薬剤点検ユニット３５は、給水本管１２の途中に分岐接続され泡水溶液を給水本管１２から取り出す分岐口３６、この分岐口に取り出された泡水溶液の圧力を減圧するオリフィス３７、このオリフィスの下流側で泡水溶液の放出量を規制するバルブ３８、放出圧力を測定する圧力計３９、バルブ３８の放出部に取り付けられ感熱分解部を備えず放水口を開放した泡ヘッド４１、この泡ヘッドから放出される泡の飛散を防ぐ泡飛散防止カバー４２、および泡ヘッド４１から放出される泡を採取する泡収集容器を備える。【選択図】      図７
2007054142.tif 000002
【特許請求の範囲】
【請求項１】
消火水を加圧して給水本管に圧送する加圧送水装置と、前記給水本管の途中に設置され、前記加圧送水装置からの消火水と泡原液とを所定割合に混合する混合装置と、前記給水本管に分岐接続された給水支管の途中に設置され、該給水支管内に前記混合装置からの泡水溶液が流動するときこの泡水溶液の流動を感知する流水検知装置と、前記流水検知装置の二次側から分岐された分岐管に取り付けられ、火災時の熱により分解して放水口を開放させる感熱分解部を備えた閉鎖型泡ヘッドと、を備えた閉鎖型泡消火設備において、
前記混合装置の二次側に、前記混合装置からの泡水溶液を給水本管の途中部位から取り出して放出し、この放出された泡水溶液を採取して点検する泡消火薬剤点検ユニットを設けてあることを特徴とする、閉鎖型泡消火設備の点検装置。
【請求項２】
前記泡消火薬剤点検ユニットは前記混合装置と流水検知装置との間に設けてある、請求項１記載の閉鎖型泡消火設備の点検装置。
【請求項３】
前記泡消火薬剤点検ユニットは、前記給水本管の途中に分岐接続され前記泡水溶液を給水本管から取り出す分岐口、この分岐口に取り出された泡水溶液の圧力を減圧するオリフィス、このオリフィスの下流側で泡水溶液の放出量を規制するバルブ、放出圧力を測定する圧力計、前記バルブの放出部に取り付けられ感熱分解部を備えず放水口を開放した泡ヘッド、この泡ヘッドから放出される泡の飛散を防ぐ泡飛散防止カバー、および前記泡ヘッドから放出される泡を採取する泡収集容器を備える、請求項１又は２記載の閉鎖型泡消火設備の点検装置。
【発明の詳細な説明】
【技術分野】
【０００１】
本発明は、閉鎖型泡消火設備の泡消火薬剤の点検装置に関する。
【背景技術】
【０００２】
従来、閉鎖型泡消火設備として、消火水を加圧して給水本管に圧送する加圧送水装置と、前記給水本管の途中に設置され、前記加圧送水装置からの消火水と泡原液とを所定割合に混合する混合装置と、前記給水本管に分岐接続された給水支管の途中に設置され、該給水支管内に前記混合装置からの泡水溶液が流動するときこの泡水溶液の流動を感知する流水検知装置と、前記流水検知装置の二次側から分岐された分岐管に取り付けられ、火災時の熱により分解して放水口を開放させる感熱分解部を備えた閉鎖型泡ヘッドと、を備えたものがある（例えば、特許文献１参照）。
【０００３】
そして、この種の閉鎖型泡消火設備において、水成膜泡消火薬剤の泡の発泡倍率や２５％還元時間等を点検するには、前記分岐管に既設されている閉鎖型泡ヘッドの一つを取り外し、感熱分解部を除去して放水口を開放状態とした泡ヘッドと取り替えた後、ポンプを起動して前記泡ヘッドから泡を放出し、この泡ヘッドの斜め下に設置した泡試料コレクターへ落下後に流下した泡をメスシリンダーに採取して、発泡倍率や２５％還元時間、混合装置の混合濃度性能等を測定していた。
【０００４】
発泡倍率は、空気混入前の元の泡水溶液量に対する最終の泡量の比を測定するもので、予め内容積１，０００ｍｌ、目盛付きメスシリンダーの重量を測定しておき、泡試料をグラム単位まで測定し、次式により計算を行うものとする。
発泡倍率＝１，０００ｍｌ／メスシリンダー重量を除いた全重量（ｇ）
【０００５】
泡の２５％還元時間は、採取した泡から還元する泡水溶液量が、メスシリンダー内の泡に含まれている全泡水溶液量の２５％還元するに要する時間を分秒で表わしたもので、次の方法で測定する。
測定は、発泡倍率測定の試料で行い、泡試料の正味重量を４等分することにより、泡に含まれている泡水溶液の２５％容量（単位ｍｌ）を得る。この量が還元するに要する時間を知るためにメスシリンダーを平らな台上に置き、一定時間内にメスシリンダーの底に溜まる液を泡と容易に分離していることが判然とする計量線で測定する。
測定の一例をあげると次のとおりである。
いま、泡試料の正味の重量が２００グラムあったとすると、１グラムを１ｍｌとして換算し、
２５％容量値＝２００ｍｌ／４＝５０ｍｌ
この５０（ｍｌ）になる時間を測定する。
【０００６】
混合装置の混合濃度性能は、予め１ないし５％の水成膜泡消火薬剤で測定した屈折率と、点検時に放出された泡水溶液の測定した屈折率とを比較して混合濃度の適否を確認する。
【０００７】
【特許文献１】特開２００１−５７３号公報
【発明の開示】
【発明が解決しようとする課題】
【０００８】
しかしながら、上記点検方法では、或る防火区域内の分岐管に既設されている閉鎖型泡ヘッドの一つを、感熱分解部を除去して開放状態にした泡ヘッドと取り替え、点検後は元通り閉鎖型泡ヘッドを付け直す必要があって、点検を開始するまでの設定作業及び復旧作業に多くの時間や多大な労力、および多数の作業人員を要し、また混合装置から泡ヘッドまでの配管行程が長いため、ポンプ起動から泡放出までの時間が長くかかり、また泡消火薬剤を多く必要とし、しかも放射泡の飛散による点検後の後処理にも多くの手間がかかるという問題があった。
【０００９】
本発明は、上記問題を解決するためになされたもので、その目的とするところは、泡消火薬剤の発泡倍率や２５％還元時間、混合装置の混合濃度性能等の点検を少人数で簡単かつ短時間に能率よく行える閉鎖型泡消火設備の点検装置を提供することにある。
【課題を解決するための手段】
【００１０】
本発明は、消火水を加圧して給水本管に圧送する加圧送水装置と、前記給水本管の途中に設置され、前記加圧送水装置からの消火水と泡原液とを所定割合に混合する混合装置と、前記給水本管に分岐接続された給水支管の途中に設置され、該給水支管内に前記混合装置からの泡水溶液が流動するときこの泡水溶液の流動を感知する流水検知装置と、前記流水検知装置の二次側から分岐された分岐管に取り付けられ、火災時の熱により分解して放水口を開放させる感熱分解部を備えた閉鎖型泡ヘッドと、を備えた閉鎖型泡消火設備において、前記混合装置の二次側に、前記混合装置からの泡水溶液を給水本管の途中部位から取り出して放出し、この放出された泡水溶液を採取して点検する泡消火薬剤点検ユニットを設けてあることに特徴を有するものである。
【００１１】
一つの好適な態様として、本発明による閉鎖型泡消火設備の点検装置は、前記泡消火薬剤点検ユニットを前記混合装置と流水検知装置との間に設けることができる。
また、前記泡消火薬剤点検ユニットは、前記給水本管の途中に分岐接続され前記泡水溶液を給水本管から取り出す分岐口、この分岐口に取り出された泡水溶液の圧力を減圧するオリフィス、このオリフィスの下流側で泡水溶液の放出量を規制するバルブ、放出圧力を測定する圧力計、前記バルブの放出部に取り付けられ感熱分解部を備えず放水口を開放した泡ヘッド、この泡ヘッドから放出される泡の飛散を防ぐ泡飛散防止カバー、および前記泡ヘッドから放出される泡を採取する泡収集容器を備えるものとすることができる。
【発明の効果】
【００１２】
本発明の閉鎖型泡消火設備の点検装置によれば、混合装置の二次側に泡消火薬剤点検ユニットを設けてあるため、前述した従来の泡消火薬剤点検作業のように或る防火区域内の分岐管に既設されている閉鎖型泡ヘッドの一つを、感熱分解部を除去して開放状態にした泡ヘッドと取り替え、点検後は元通り閉鎖型泡ヘッドを付け直すという煩わしい作業を省略でき、点検を開始するまでの設定作業及び復旧に要する時間や労力、及び作業員を低減できて泡消火薬剤を簡単かつ短時間に能率よく、しかも少人数で点検できるに至った。
【００１３】
泡消火薬剤点検ユニットを混合装置と流水検知装置との間に設けておくと、混合装置から泡消火薬剤点検ユニットまでの配管行程が短くなり、したがって、点検に際し泡水溶液を放出するまでの時間が短くなり、点検作業時間の短縮化を図れ、また点検時に使用する泡消火薬剤の使用量を削減できる。
【００１４】
泡消火薬剤点検ユニットは、給水本管の途中に分岐接続され前記泡水溶液を給水本管から取り出す分岐口、この分岐口に取り出された泡水溶液の圧力を減圧するオリフィス、このオリフィスの下流側で泡水溶液の放出量を規制するバルブ、放出圧力を測定する圧力計、バルブの放出部に取り付けられ感熱分解部を備えず放水口を開放した泡ヘッド、この泡ヘッドから放出される泡の飛散を防ぐ泡飛散防止カバー、および泡ヘッドから放出される泡を採取する泡収集容器を備えるものとすることにより、泡水溶液の発泡性能や泡消火薬剤の混合比率などを簡単確実に測定することができる。
【発明を実施するための最良の形態】
【００１５】
以下、本発明の閉鎖型泡消火設備の点検装置の好適な実施例を図面に基づき説明する。
図１は閉鎖型泡消火設備の構成図、図２は閉鎖型泡消火設備に使用する閉鎖型泡ヘッドの一例を閉鎖状態で示す縦断正面図、図３は閉鎖型泡消火設備の泡消火薬剤点検ユニットの正面図、図４は同泡消火薬剤点検ユニットの平面図、図５は同泡消火薬剤点検ユニットの側面図、図６は同泡消火薬剤点検ユニットの平常時における内部正面図、図７は同泡消火薬剤点検ユニットの点検時における内部正面図である。
【００１６】
本発明に係る閉鎖型泡消火設備は、図１に示すように、自走式駐車場等の防火区域Ａ内に多数の閉鎖型泡ヘッド１が設置される閉鎖型泡消火設備であって、この閉鎖型泡消火設備それ自体は公知のものであり、消火水を貯蔵する貯水槽３、加圧送水装置４、泡原液タンク５、混合装置６、流水検知装置（自動警報弁）７、消火ポンプ制御盤８、消火システム制御盤（火災受信機）９等を備える。
【００１７】
図１において、加圧送水装置４は送水ポンプ１０とこれを駆動するモータ１１を有し、送水ポンプ１０は貯水槽３から消火水を吸入し、吸入した消火水を加圧して給水本管１２に圧送する。送水ポンプ１０のモータ１１は消火ポンプ制御盤８により起動、停止される。送水ポンプ１０の近傍の所定高さ位置には呼水槽１３が設置され、この呼水槽１３から送水ポンプ１０の吐出側に呼水供給管１４が接続されている。この呼水槽１３には水位センサ１５が設けられ、水位センサ１５の水位検出信号が消火ポンプ制御盤８に印加されて消火ポンプ制御盤８が満水警報（上限警報）と減水警報（下限警報）を出力するように構成されている。
【００１８】
消火ポンプ制御盤８は消火システム制御盤（火災受信機）９と接続され、流水検知装置７からの流水検知信号を受信して加圧送水装置４へ起動信号を送るようにしている。
【００１９】
加圧送水装置４から流水検知装置７の一次側までの配管系統には、加圧送水装置４からの加圧消火水と泡原液タンク５からの泡原液とを所定割合に混合して泡水溶液とする、プレッシャープロポーショナ方式等の混合装置６が設置される。この混合装置６は、加圧送水装置４から流水検知装置７の一次側までの配管系統に混合器２７を設置してなり、常時、混合器２７に泡水溶液が流れるようにしてある。
【００２０】
給水本管１２の途中からは給水支管１６が分岐して接続され、この給水支管１６には、該給水支管１６内に混合装置６からの泡水溶液が流動するときこの泡水溶液の流動を感知して火災警報を発する流水検知装置７が接続されている。流水検知装置７の二次側には、閉鎖型泡ヘッド１の設置される防火領域Ａに配管される分岐管１７が分岐接続される。
【００２１】
分岐管１７には下向きや上向きの閉鎖型泡ヘッド１が取り付けられ、各閉鎖型泡ヘッド１は、例えば、特開２００１−５７３号公報、特開２００１−３４０４８１号公報、特開２００１−４６５４３、特開平７−３１６９１等に公知であり、ここではその一例を挙げて説明するのみとする。例えば、図２に示す閉鎖型泡ヘッド１は、分岐管１７に接続される接続口部１８及び放水口１９を有する泡ヘッド本体２０と、放水口１９を塞ぐ弁２１と、平常時に弁２１を放水口１９に対し押し付け、火災時の熱により分解ないし溶解して弁に対する押し付け状態を解除して放水口１９を開放するグラスバルブやヒュージブルリンク等からなる感熱分解部２２と、泡ヘッド本体２０の下部に、放水口１９の周りを囲み且つ放水口１９から泡水溶液が放出されるときに空気を取り込む上部開放口２３を形成するよう一体に形成され、感熱分解部２２を支持する支持フレーム２４と、この支持フレーム２４の下部に垂下状に支持され、放水口１９から放出される泡水溶液を拡散させるデフレクタ２５などを備えている。
【００２２】
平常状態では、泡ヘッド本体２０の接続口部１８内にまで充満されている加圧泡水溶液が弁２１によってせき止められている。したがって、火災が発生し、その火災熱が一定の温度以上になると、感熱分解部２２がその火災熱により分解ないし溶解し、弁２１に対する押し付け状態が解除される。この解除に伴い、弁２１が泡水溶液の圧力により放水口１９から前方へ押され、放水口１９が全開される。この開放された放水口１９から放出される泡水溶液は上部開放口２３から空気を取り込んで発泡し、デフレクタ２５に衝突して周囲に均一に分散、拡散されることになる。
【００２３】
上記泡消火設備は、閉鎖型泡ヘッド１の設置される防火領域Ａ内において火災が発生すると、この火災位置近傍の閉鎖型泡ヘッド１が感熱し泡水溶液を放出し、流水検知装置７から加圧送水装置４へ起動信号が送られ、加圧送水装置４が起動し、混合器２７から泡水溶液が流水検知装置７を経て閉鎖型泡ヘッド１へ流れる。
【００２４】
なお、混合装置６の一次側と加圧送水装置４との間の給水本管１２途中には仕切弁３２が設けられ、この仕切弁３２の二次側には圧力空気タンク３３が分岐接続され、給水本管１２の管内圧力を常時一定圧力に保持するようにしている。閉鎖型泡ヘッド１の設置される防火領域Ａ内において火災が発生すると、この火災位置近傍の閉鎖型泡ヘッド１が感熱し泡水溶液を放出するため、給水本管１２及び給水支管１６内の圧力が低下し、この圧力低下を圧力空気タンク３３に設けられた圧力スイッチ３４が検出する。圧力スイッチ３４からの検出信号は消火ポンプ制御盤８に送られ、消火ポンプ制御盤８は加圧送水装置４を起動する。
【００２５】
本発明は、上記閉鎖型泡消火設備において、図７に示すように、混合装置６の二次側、例えば、混合装置６の二次側直近あるいは混合装置６と流水検知装置７との中間部位に、混合装置６からの泡水溶液を給水本管１２の途中部位から取り出して放出し、この放出された泡水溶液を採取して発泡倍率や２５％還元時間、混合装置６の混合濃度性能等を点検する泡消火薬剤点検ユニット３５を設けることに特徴を有する。
【００２６】
泡消火薬剤点検ユニット３５は、具体的には、図３〜図７に示すように、給水本管１２の途中に分岐接続され混合装置６からの泡水溶液を給水本管１２から取り出す分岐口３６、分岐口３６に取り出された泡水溶液の圧力を減圧するオリフィス３７、このオリフィス３７の下流側で泡水溶液の放出量を規制するバルブ３８、放出圧力を測定する圧力計３９、バルブ３８の放出部４０に取り付けられ、感熱分解部を備えず放水口を開放した泡ヘッド４１、この泡ヘッド４１から放出される泡の飛散を防ぐ泡飛散防止カバー４２、および泡ヘッド４１から放出される泡を採取する目盛付きメスシリンダー等泡収集容器（図示省略）を備える。
【００２７】
図６、図７に示すように、給水本管１２の途中部位から泡水溶液を取り出す分岐口３６は、混合装置６の二次側における給水本管１２の途中にフランジ４４を介して接続される水平管部４５の中間部位に設けられている。分岐口３６に取り出した泡水溶液の放出量を規制する手動開閉式のバルブ３８は分岐口３６に取り付けており、平常時は、図６に示すように、バルブ３８の放出部４０をプラグ４６で塞ぎ、点検時にはプラグ４６を外し、図７に示すごとく泡ヘッド４１を放出部４０にねじ込むようにしている。その泡ヘッド４１は感熱分解部を備えず放水口を開放したものである。点検時は１個の泡ヘッド４１のみからの放射となる為、それが泡ヘッド放射圧力範囲（０．３５〜０．６０ＭＰａ）となるように、分岐口３６とバルブ３８との間には減圧用のオリフィス３７を組み込んでいる。また、放出圧力を測定する圧力計３９はバルブ３８に取り付けている。
【００２８】
そして、泡消火薬剤点検ユニット３５は、図３〜図６に示すように、前方及び下方が開放状に形成されたボックス本体４７と、ボックス本体４７の前方及び下方を塞ぐカバー４８からなる点検ボックス４９内に格納される。ボックス本体４７は水平管部４５にバンド５０とボルト５１で取り付けられている。この点検ボックス４９は、平常時はカバー４８が特殊ねじ５２やボルト５３でボックス本体４７に締付け固定されて不測に外部から内部の泡消火薬剤点検ユニット３５が触られることのないようにし、点検時には特殊ねじ５２やボルト５３を緩めカバー４８を外してボックス本体４７内を開放できるようにしている。泡飛散防止カバー４２は、平常時には、図６に示すように、点検ボックス４９内において水平管部４５にチェーン・フック等による締結部材５４で吊り下げられ、点検時には、締結部材５４を水平管部４５から外し、図７に示すごとく該締結部材５４をバルブ３８に巻き付けることによりバルブ３８の放出部４０の外周を覆う状態に確実に接続されるようにしている。
【００２９】
次に、上記泡消火薬剤点検ユニット３５を使用する手順の一例を説明する。
先ず、点検ボックス４９のカバー４８を外す。次いで、バルブ３８が閉まっていることを確認したうえで、バルブ３８のプラグ４６を外し、図７に示すごとく泡ヘッド４１をバルブ３８の放出部４０にねじ込む。次いで、泡飛散防止カバー４２の締結部材５４を水平管部４５から外し、図７に示すごとく該締結部材５４をバルブ３８に巻き付けて泡飛散防止カバー４２をバルブ３８に確実に接続する。
しかる後、送水ポンプ１０を起動した後、圧力計３９を見ながら所定の圧力となるまでバルブ３８を開放し、泡飛散防止カバー４２から放出される発泡した泡を泡収集容器（内容積１，０００ｍｌ、目盛付きメスシリンダー）で採取する。泡採取後、バルブ３８を閉めて送水ポンプ１０を停止する。採取した泡の発泡倍率、２５％還元時間、及び混合装置６の混合濃度性能の測定点検方法については、前述した方法（［０００３］〜［０００５］の記載参照）と同じ要領で行う。
点検が終了した後は、泡飛散防止カバー４２と泡ヘッド４１をバルブ３８から外し、図６に示すように、プラグ４６をバルブ３８の放出部４０にねじ込む。泡ヘッド４１がバルブ３８に取り付けられたままの状態では、カバー４８の取り付けに泡ヘッド４１が邪魔になって、カバー４８は取り付けられないようにしている。泡飛散防止カバー４２は、図６に示すように、締結部材５４で水平管部４５に吊り下げる。
最後に、図３〜５に示すように、カバー４８をかぶせた後、特殊ねじ５２やボルト５３でボックス本体４７に締付け固定して終了する。
【００３０】
なお、上記泡消火薬剤点検ユニット３５は、混合装置６の二次側における給水本管１２の途中に常備しておいてもよいが、これに代えて、平常時は混合装置６の二次側における給水本管１２の途中に分岐口３６のみを設けておいて、点検時にその分岐口３６に上記泡消火薬剤点検ユニット３５を接続するようにすることもできる。
【図面の簡単な説明】
【００３１】
【図１】本発明の一実施例を示す閉鎖型泡消火設備の構成図である。
【図２】同閉鎖型泡消火設備に使用する閉鎖型泡ヘッドの一例を閉鎖状態で示す縦断正面図である。
【図３】同閉鎖型泡消火設備の泡消火薬剤点検ユニットの正面図である。
【図４】同泡消火薬剤点検ユニットの平面図である。
【図５】同泡消火薬剤点検ユニットの側面図である。
【図６】同泡消火薬剤点検ユニットの平常時における内部正面図である。
【図７】同泡消火薬剤点検ユニットの点検時における内部正面図である。
【符号の説明】
【００３２】
１  閉鎖型泡ヘッド
４  加圧送水装置
６  混合装置
７  流水検知装置（自動警報弁）
１２  給水本管
１６  給水支管
１７  分岐管
２２  感熱分解部
３５  泡消火薬剤点検ユニット
３６  分岐口
３７  オリフィス
３８  バルブ
３９  圧力計
４１  泡ヘッド
４２  泡飛散防止カバー
【図１】
2007054142.tif 000003
【図２】
2007054142.tif 000004
【図３】
2007054142.tif 000005
【図４】
2007054142.tif 000006
【図５】
2007054142.tif 000007
【図６】
2007054142.tif 000008
【図７】
2007054142.tif 000009